(57)【要約】本発明は、一部において、熱伝達流体を利用する熱伝達システム、方法および組成物に関し、その熱伝達流体は（ａ）ＨＦＯ-１２３４ｚｅ、（ｂ）ＨＦＣ-２２７ｅａ、および（ｃ）場合によりＨＦＣ-１３４ａを含み、ここで、ＨＦＯ-１２３４ｚｅとＨＦＣ-２２７ｅａは共沸混合物の組成物または共沸混合物様の組成物を形成するのに有効な量で用いられる。【選択図】図１
2016514187.tif 000002
【特許請求の範囲】
【請求項１】
（ａ）ＨＦＯ-１２３４ｚｅ、（ｂ）ＨＦＣ-２２７ｅａ、および（ｃ）場合によりＨＦＣ-１３４ａを含む熱伝達組成物であって、ここで、ＨＦＯ-１２３４ｚｅとＨＦＣ-２２７ｅａは共沸混合物の組成物または共沸混合物様の組成物を形成するのに有効な量で用いられる、前記熱伝達組成物。
【請求項２】
ＨＦＯ-１２３４ｚｅは実質的にトランス-ＨＦＯ-１２３４ｚｅから成る、請求項１に記載の熱伝達組成物。
【請求項３】
（ａ）約８０重量％から約９５重量％までのＨＦＯ-１２３４ｚｅ、および（ｂ）約５重量％から約２０重量％までのＨＦＣ-２２７ｅａを含み、ここで重量パーセントは組成物中の成分（ａ）〜（ｃ）の総量に基づく、請求項１に記載の熱伝達組成物。
【請求項４】
（ａ）約８３重量％から約９２重量％までのＨＦＯ-１２３４ｚｅ、および（ｂ）約８重量％から約１７重量％までのＨＦＣ-２２７ｅａを含み、ここで重量パーセントは組成物中の成分（ａ）〜（ｃ）の総量に基づく、請求項１に記載の熱伝達組成物。
【請求項５】
（ａ）約８５重量％から約９０重量％までのＨＦＯ-１２３４ｚｅ、および（ｂ）約１０重量％から約１５重量％までのＨＦＣ-２２７ｅａを含み、ここで重量パーセントは組成物中の成分（ａ）〜（ｃ）の総量に基づく、請求項１に記載の熱伝達組成物。
【請求項６】
（ａ）約８８重量％から約９５重量％までのＨＦＯ-１２３４ｚｅ、および（ｂ）約８重量％から約１２重量％までのＨＦＣ-２２７ｅａを含み、ここで重量パーセントは組成物中の成分（ａ）〜（ｃ）の総量に基づく、請求項１に記載の熱伝達組成物。
【請求項７】
（ａ）約６０重量％から約９５重量％までのＨＦＯ-１２３４ｚｅ、（ｂ）約５重量％から約２０重量％までのＨＦＣ-２２７ｅａ、（ｃ）約０重量％よりも多く約２０重量％までのＨＦＣ-１３４ａを含み、ここで重量パーセントは組成物中の成分（ａ）〜（ｃ）の総量に基づく、請求項１に記載の熱伝達組成物。
【請求項８】
（ａ）約６８重量％から約９２重量％までのＨＦＯ-１２３４ｚｅ、（ｂ）約８重量％から約１７重量％までのＨＦＣ-２２７ｅａ、（ｃ）０重量％よりも多く約１５重量％までのＨＦＣ-１３４ａを含み、ここで重量パーセントは組成物中の成分（ａ）〜（ｃ）の総量に基づく、請求項１に記載の熱伝達組成物。
【請求項９】
（ａ）約７５重量％から約９０重量％までのＨＦＯ-１２３４ｚｅ、（ｂ）約１０重量％から約１５重量％までのＨＦＣ-２２７ｅａ、（ｃ）約０重量％よりも多く約１０重量％までのＨＦＣ-１３４ａを含み、ここで重量パーセントは組成物中の成分（ａ）〜（ｃ）の総量に基づく、請求項１に記載の熱伝達組成物。
【請求項１０】
（ａ）約８０重量％から約９０重量％までのＨＦＯ-１２３４ｚｅ、（ｂ）約１０重量％から約１５重量％までのＨＦＣ-２２７ｅａ、（ｃ）約０重量％よりも多く約５重量％までのＨＦＣ-１３４ａを含み、ここで重量パーセントは組成物中の成分（ａ）〜（ｃ）の総量に基づく、請求項１に記載の熱伝達組成物。
【請求項１１】
請求項１に記載の熱伝達組成物を含む冷却システム。
【請求項１２】
小型の冷却システム、低温および中温の冷却システム、定置型空調機、自動車用空調機、家庭用冷蔵庫または冷凍室、チラー、ヒートポンプ、自動販売機、スクリュー式水冷チラー、遠心式水冷チラー、中圧遠心式チラー、ヒートポンプ給湯器、および除湿器からなる群から選択される装置である、請求項１１に記載の冷却システム。
【請求項１３】
ＨＦＣ-１５２ａ、ＨＦＯ-１２３４ｙｆ、ＨＦＣ-２３６ｅａ、ＨＦＣ-２４５ｆａ、ＣＯ２からなる群から選択される約５重量％までの化合物をさらに含む、請求項１に記載の熱伝達組成物。
【請求項１４】
熱伝達システムの中に含まれる現行の熱伝達流体を取り替える方法であって、この方法は、前記現行の熱伝達流体の少なくとも一部を前記システムから取り出すこと（前記現行の熱伝達流体はＨＦＣ-１３４ａを含むものである）、および、前記システムの中に熱伝達組成物を導入することによって前記現行の熱伝達流体の少なくとも一部を取り替えることを含み、前記熱伝達組成物は（ａ）ＨＦＯ-１２３４ｚｅ、（ｂ）ＨＦＣ-２２７ｅａ、および（ｃ）場合によりＨＦＣ-１３４ａを含み、ここで、ＨＦＯ-１２３４ｚｅとＨＦＣ-２２７ｅａは共沸混合物の組成物または共沸混合物様の組成物を形成するのに有効な量で用いられる、前記方法。
【請求項１５】
流体が連通する圧縮機、凝縮器および蒸発器と、熱伝達組成物とをシステム中に含む熱伝達システムであって、前記熱伝達組成物は（ａ）ＨＦＯ-１２３４ｚｅ、（ｂ）ＨＦＣ-２２７ｅａ、および（ｃ）場合によりＨＦＣ-１３４ａを含み、ここで、ＨＦＯ-１２３４ｚｅとＨＦＣ-２２７ｅａは共沸混合物の組成物または共沸混合物様の組成物を形成するのに有効な量で用いられる、前記熱伝達システム。
【発明の詳細な説明】
【技術分野】
【０００１】
本発明は、少なくとも一部において、熱伝達組成物に関し、特に、現行の冷媒であるＨＦＣ-１３４ａの代替品として適している可能性のある熱伝達組成物および／または冷媒組成物に関する。
【背景技術】
【０００２】
地球温暖化効果の一部は、機械的な冷却システムにおいて用いられてきた作動流体の使用と関連している。低い地球温暖化係数と高効率の作動流体の適用に対する国際的な要請に応えて、地球温暖化係数の高い作動流体を段階的に縮小するとともにＣＯ２の排出を低減するために、多くの政府が京都議定書に調印した。
【０００３】
ＨＦＣ-１３４ａは、スクリュー式水冷チラー、遠心式水冷チラー、ヒートポンプ給湯器、除湿器などを含めた多くの冷却用途において現在広く用いられている重要な作動流体である。しかし、その地球温暖化係数（ＧＷＰ）は概算で１４３０であり、これは継続して使用するためには高過ぎると考えられる。京都議定書およびその他の類似の国際的な行動計画に従って、上記の用途において、またＨＦＣ-１３４ａが用いられているか、または用いることができる他の類似する用途において、ＨＦＣ-１３４ａの代わりとなるＧＷＰの低い新たなヒドロフルオロカーボンの化合物および組成物に対する必要性が増しつつある。
【０００４】
引火性は、スクリュー式水冷チラー、遠心式水冷チラー、ヒートポンプ給湯器、および除湿器などの用途のために重要な性質である。第一に、現行の標準規格が、引火性のヒドロフルオロカーボン冷媒の採用を困難にしている。第二に、そのような冷却装置のための部品または構成要素は引火性の冷媒とともに用いるのには不十分なものであり、また置き換えを行うためには費用がかさむ。第三に、冷媒が引火することを防ぎ、また冷媒が漏れた場合に爆発することを防ぐためには、換気システムと冷媒の漏れ感知器を付加することが必要であろう。従って、引火性が低いか、あるいは引火性の無い代替の冷媒を提供することが望ましい。
【０００５】
ＨＦＣ-１３４ａの代替においては容積冷却能力も（特に、上記の用途において）重要な特性であり、何故ならば、それは圧縮機のサイズに大きな影響を及ぼすからである。小さな容積冷却能力を有する冷媒は大きなサイズの圧縮機が必要であり、そのことにより冷却装置のサイズとコストは増大するだろう。従って、ＨＦＣ-１３４ａと同等か、または近似する容積冷却能力を有する代替の冷媒を提供することが望ましい。
【０００６】
本発明は少なくともこれら上記の必要性に対処するものである。
【発明の概要】
【０００７】
出願人は、上記の必要性ならびにその他の必要性は、本発明の組成物、方法およびシステムによって満たすことが可能であることを見出した。幾つかの側面において、本発明は（ａ）ＨＦＯ-１２３４ｚｅ（幾つかの好ましい態様においてはトランス-ＨＦＯ-１２３４ｚｅ）、（ｂ）ＨＦＣ-２２７ｅａ、および（ｃ）場合によりＨＦＣ-１３４ａを含む熱伝達組成物を対象とし、ここでＨＦＯ-１２３４ｚｅとＨＦＣ-２２７ｅａは共沸混合物の組成物または共沸混合物様の組成物を形成するのに有効な量で用いられる。幾つかの態様において、この熱伝達組成物は（ａ）約８０重量％から約９５重量％までのＨＦＯ-１２３４ｚｅ、および（ｂ）約５重量％から約２０重量％までのＨＦＣ-２２７ｅａを含み、ここで重量パーセントは組成物中の成分（ａ）〜（ｃ）の総量に基づく。さらなる態様において、この熱伝達組成物は（ａ）約８３重量％から約９２重量％までのＨＦＯ-１２３４ｚｅ、および（ｂ）約８重量％から約１７重量％までのＨＦＣ-２２７ｅａを含み、ここで重量パーセントは組成物中の成分（ａ）〜（ｃ）の総量に基づく。さらなる態様において、この熱伝達組成物は（ａ）約８５重量％から約９０重量％までのＨＦＯ-１２３４ｚｅ、および（ｂ）約１０重量％から約１５重量％までのＨＦＣ-２２７ｅａを含み、ここで重量パーセントは組成物中の成分（ａ）〜（ｃ）の総量に基づく。さらに好ましい態様において、この熱伝達組成物は（ａ）約８８重量％から約９２重量％までのＨＦＯ-１２３４ｚｅ、および（ｂ）約８重量％から約１２重量％までのＨＦＣ-２２７ｅａを含み、ここで重量パーセントは組成物中の成分（ａ）〜（ｃ）の総量に基づく。
【０００８】
上記の幾つかの態様において、組成物中にはＨＦＣ-１３４ａが含まれる。そのような態様の幾つかのものにおいて、熱伝達組成物は（ａ）約６０重量％から約９５重量％までのＨＦＯ-１２３４ｚｅ、（ｂ）約５重量％から約２０重量％までのＨＦＣ-２２７ｅａ、（ｃ）約０重量％よりも多く約２０重量％までのＨＦＣ-１３４ａを含み、ここで重量パーセントは組成物中の成分（ａ）〜（ｃ）の総量に基づく。さらなる態様において、この熱伝達組成物は（ａ）約６８重量％から約９２重量％までのＨＦＯ-１２３４ｚｅ、（ｂ）約８重量％から約１７重量％までのＨＦＣ-２２７ｅａ、（ｃ）０重量％よりも多く約１５重量％までのＨＦＣ-１３４ａを含み、ここで重量パーセントは組成物中の成分（ａ）〜（ｃ）の総量に基づく。さらなる態様において、この熱伝達組成物は（ａ）約７５重量％から約９０重量％までのＨＦＯ-１２３４ｚｅ、（ｂ）約１０重量％から約１５重量％までのＨＦＣ-２２７ｅａ、（ｃ）約０重量％よりも多く約１０重量％までのＨＦＣ-１３４ａを含み、ここで重量パーセントは組成物中の成分（ａ）〜（ｃ）の総量に基づく。さらなる態様において、この熱伝達組成物は（ａ）約８０重量％から約９０重量％までのＨＦＯ-１２３４ｚｅ、（ｂ）約１０重量％から約１５重量％までのＨＦＣ-２２７ｅａ、（ｃ）約０重量％よりも多く約５重量％までのＨＦＣ-１３４ａを含み、ここで重量パーセントは組成物中の成分（ａ）〜（ｃ）の総量に基づく。
【０００９】
予想しなかったことであるが、出願人は、本組成物における成分の組み合わせ、特に本明細書で明示する好ましい範囲内の成分の組み合わせにより、複数の冷媒性能の特性を達成するのに重要かつ困難な組み合わせであって、それらの成分のいずれかのものの単独によっては達成することができない複数の特性の組み合わせを同時に達成可能であることを見出した。例えば、本発明の好ましい組成物は、引火性に関して等級が１であると同時に、望ましいほどに低いＧＷＰを有する。それらはまた、ＨＦＣ-１３４ａ（本明細書では「Ｒ-１３４ａ」ともいう）と同等であるか、近似するか、あるいはＨＦＣ-１３４ａからの商業上許容できる偏りの範囲内の容積冷却能力を示す。
【００１０】
本発明のいずれか１つ以上の組成物、システムまたは方法は、１つ以上の共冷媒（co-refrigerant）と共に用いてもよい。そのような共冷媒の非限定的な例には、ＨＦＣ-１５２ａ、ＨＦＯ-１２３４ｙｆ、ＨＦＣ-２３６ｅａ、ＨＦＣ-２４５ｆａ、およびＣＯ２のうちの１つまたはこれらの組み合わせが含まれる。幾つかの側面において、このような共冷媒は組成物の総重量の５重量％未満の量で用いることができる。
【００１１】
本発明はまた、本発明の組成物を利用する方法とシステムも対象としていて、それには、熱伝達のための方法とシステムおよび現行の熱伝達システムを改良するための方法とシステムが含まれる。本発明の好ましい方法の幾つかの側面は、現行の冷却システムにおいて冷却を行う方法に関する。本発明の方法の別の側面は、Ｒ-１３４ａ冷媒を用いるように設計された現行のシステムまたはＲ-１３４ａ冷媒を収容している現行のシステムを改良する方法を提供することであり、この方法は、その現行の冷却システムにおいて実質的な工学的な設計の変更を行うことなく、本発明の組成物をシステムの中に導入することを含む。非限定的な幾つかの側面において、冷却システムは、小型の冷却システム、低温および中温の冷却システム、定置型空調機、自動車用空調機、家庭用冷蔵庫または冷凍室、チラー、ヒートポンプ、自動販売機、スクリュー式水冷チラー、遠心式水冷チラー、中圧遠心式チラー、ヒートポンプ給湯器、および除湿器からなる群から選択される装置を含んでもよい。
【００１２】
本明細書において「ＨＦＯ-１２３４」という用語は、全てのテトラフルオロプロペンを指すものとして用いられる。テトラフルオロプロペンの中には、１,１,１,２-テトラフルオロプロペン（ＨＦＯ-１２３４ｙｆ）およびシスおよびトランス-１,１,１,３-テトラフルオロプロペン（ＨＦＯ-１２３４ｚｅ）の両者が含まれる。本明細書においてＨＦＯ-１２３４ｚｅという用語は１,１,１,３-テトラフルオロプロペンを指すものとして包括的に用いられ、それはシス形であるかトランス形であるかを問わない。本明細書において「シスＨＦＯ-１２３４ｚｅ」および「トランスＨＦＯ-１２３４ｚｅ」という用語はそれぞれ、シス形およびトランス形の１,１,１,３-テトラフルオロプロペンを表わすものとして用いられる。従って、「ＨＦＯ-１２３４ｚｅ」という用語は、その範囲の中にシスＨＦＯ-１２３４ｚｅ、トランスＨＦＯ-１２３４ｚｅ、およびこれらの全ての組み合わせおよび混合物を含む。
【００１３】
本明細書において「ＨＦＣ-１３４ａ」という用語は１,１,１,２-テトラフルオロエタンを指すものとして用いられる。
さらなる利点と態様は、当業者であれば、本明細書で提示される開示に基づいて容易にわかるであろう。
【図面の簡単な説明】
【００１４】
【図１】図１はＨＦＣ-２２７ｅａとＨＦＯ-１２３４ｚｅを含む組成物の引火限界を示す。
【発明を実施するための形態】
【００１５】
小型の冷却システム（小型の商業用冷却システムを含む）、低温および中温の冷却システム、定置型空調機、自動車用空調機、家庭用冷蔵庫または冷凍室、チラー、ヒートポンプ、自動販売機、スクリュー式水冷チラー、遠心式水冷チラー、ヒートポンプ給湯器、除湿器などを含めた多くの加熱用および冷却用のシステムにおいて一般的に用いられてきた一つの冷媒はＨＦＣ-１３４ａであり、これは概算で１４３０の高い地球温暖化係数（ＧＷＰ）を有する。出願人は、これらの用途における冷媒（特に、また好ましくはＨＦＣ-１３４ａ）に代わる代替品および／または置換品に対する必要性を、並はずれた予想外のやり方で本発明の組成物が満足することを見出した。好ましい組成物は、低いＧＷＰ値を有すると同時に、それらのシステムにおいてＨＦＣ-１３４ａにほぼ匹敵する容積能力を有する非引火性で無毒性の流体を提供する。
【００１６】
幾つかの好ましい形態において、本発明の組成物は約１０００以下の地球温暖化係数（ＧＷＰ）を有し、より好ましくは約７００以下、さらに好ましくは約６００以下のＧＷＰを有する。本明細書において用いるとき、「ＧＷＰ」は二酸化炭素の値に対するものとして１００年の計画対象期間にわたって判定されるものであり、このことは「オゾン層破壊の科学アセスメント・２００２年版（世界気象機関による地球のオゾン層研究監視プロジェクトの報告書）」（これは参考文献として本明細書に組み込まれる）において定義されている。
【００１７】
幾つかの好ましい形態において、本組成物はまた、好ましくは０．０５以下のオゾン破壊係数（ＯＤＰ）を有し、より好ましくは０．０２以下、さらに好ましくは約０のＯＤＰを有する。本明細書において用いるとき、「ＯＤＰ」は「オゾン層破壊の科学アセスメント・２００２年版（世界気象機関による地球のオゾン層研究監視プロジェクトの報告書）」（これは参考文献として本明細書に組み込まれる）において定義されている通りのものである。
【００１８】
熱伝達組成物
本発明の組成物は一般に、熱伝達の用途において用いるために適応できる。すなわち、幾つかの非限定的な側面において、それらは加熱用および／または冷却用の媒体として用いることができるが、しかし上述したように、これまでにＨＦＣ-１３４ａを用いてきた加熱用および冷却用のシステムに特に良好に適応される。そのようなシステムの例としては、（これらに限定はされないが）小型の冷却システム、低温および中温の冷却システム、定置型空調機、自動車用空調機、家庭用冷蔵庫または冷凍室、チラー、ヒートポンプ、自動販売機、スクリュー式水冷チラー、遠心式水冷チラー、ヒートポンプ給湯器、除湿器などがある。
【００１９】
幾つかの好ましい態様において、本発明の組成物は（ａ）１,３,３,３-テトラフルオロプロペン（ＨＦＯ-１２３４ｚｅ）、（ｂ）ヘプトフルオロプロパン（ＨＦＣ-２２７ｅａ）、および（ｃ）場合によりテトラフルオロエタン（ＨＦＣ-１３４ａ）を含むか、実質的にこれらの成分から成るか、あるいはこれらの成分から成る。これらの成分の各々は、冷媒組成物として有用なものにする任意の量で用いることができて、特に現行の冷却システム、さらに特定すると、冷媒としてＨＦＣ-１３４ａを用いるか、あるいはＨＦＣ-１３４ａを用いることができる小型の冷却システム、低温および中温の冷却システム、定置型空調機、自動車用空調機、家庭用冷蔵庫または冷凍室、チラー、ヒートポンプ、自動販売機、スクリュー式水冷チラー、遠心式水冷チラー、ヒートポンプ給湯器、除湿器、および類似するシステムにおいてＨＦＣ-１３４ａに代わる置換品として用いることができる。
【００２０】
ＨＦＯ-１２３４ｚｅはシス異性体、トランス異性体、またはこれらシス異性体とトランス異性体の組み合わせとして用いることができる。幾つかの形態において、それは組成物の約１０重量％から１００重量％未満の量で用いられ、幾つかの好ましい形態においては組成物の約４０重量％から約１００重量％未満の量で、さらに好ましい形態においては組成物の約５０重量％から約９９重量％までの量で、さらにいっそう好ましい形態においては組成物の約６５重量％から約９５重量％までの量で用いられる。
【００２１】
ＨＦＣ-２２７ｅａは組成物の０重量％よりも多くて約９０重量％までの量で用いることができて、幾つかの好ましい形態においては組成物の０重量％よりも多くて約７５重量％までの量で、さらに好ましい形態においては組成物の０重量％よりも多くて約５０重量％までの量で、さらに好ましい形態においては組成物の１重量％よりも多くて約４０重量％までの量で、さらにいっそう好ましい態様においては組成物の約５重量％から約３５重量％までの量で用いることができる。
【００２２】
ＨＦＣ-１３４ａは組成物の０重量％から約９０重量％までの量で用いることができて、幾つかの好ましい形態においては組成物の０重量％から約５０重量％までの量で、さらに好ましい形態においては組成物の０重量％から約２５重量％までの量で用いることができる。
【００２３】
出願人は、本発明の成分を本明細書で記述する広い範囲および好ましい範囲の中で用いることが本組成物によって示される諸特性の組み合わせ、特に好ましいシステムおよび方法における諸特性の組み合わせを得るのに重要であり、そしてそれらの同じ成分をそれらの示された範囲よりも実質的に外側の範囲で用いることによって本発明の組成物の重要な特性の１つ以上に対して有害な影響をもたらす場合があることを見出した。極めて好ましい態様において、約１：１から約１：２０までのＨＦＣ-２２７ｅａ：ＨＦＯ-１２３４ｚｅ（好ましくはトランス-ＨＦＯ-１２３４ｚｅ）の重量比を有する組成物について諸特性の極めて好ましい組み合わせが達成され、幾つかの態様においては、約１：３から約１：１７までの比率が好ましい。さらなる態様において、約１：１から約１：２０までのＨＦＣ-１３４ａ：ＨＦＯ-１２３４ｚｅ（好ましくはトランス-ＨＦＯ-１２３４ｚｅ）の重量比を有する組成物について諸特性の極めて好ましい組み合わせが達成され、幾つかの態様においては、約１：４から約１：１７までの比率が好ましい。
【００２４】
出願人はさらに、諸特性の組み合わせを達成することの困難さは、組成物がＨＦＣ-２２７ｅａとＨＦＯ-１２３４ｚｅを含むか、あるいは実質的にＨＦＣ-２２７ｅａとＨＦＯ-１２３４ｚｅから成り、これらが共沸混合物の組成物または共沸混合物様の組成物を形成するのに有効な量で用いられる場合に解決されることを見出した。
【００２５】
本明細書において用いるとき、「共沸混合物様」という用語は、厳密に共沸性である組成物あるいは概ね共沸混合物のように挙動する組成物と関連づけられる。共沸混合物とは、特定の圧力と温度において液体の組成と蒸気の組成が等しいような二つ以上の成分からなる系である。実際には、このことは、共沸混合物の各成分が定沸点または実質的に定沸点であって、一般に、相変化をする間に熱力学的に分離され得ないことを意味する。共沸混合物が沸騰または蒸発することによって形成される蒸気の組成は、当初の液体の組成と同一であるか、あるいは実質的に同一である。従って、組成物が沸騰または蒸発するときに、共沸混合物様の組成物の液相と気相における成分の濃度は、（変化するとしても）最小限にしか変化しない。それに対して、沸騰または蒸発しつつある非共沸混合物は、液相中の成分の濃度をかなりの程度まで変化させる。
【００２６】
本明細書において用いるとき、共沸混合物の組成物または共沸混合物様の組成物の成分に関して「実質的に〜から成る」という用語は、組成物が表示された成分を共沸混合物の割合または共沸混合物様の割合で含み、そして追加の成分を含んでいてもよく、ただし、それら追加の成分は新たな共沸混合物の系または共沸混合物様の系を形成しない、ということを意味する。例えば、実質的に２つの配合物から成る共沸混合物または共沸混合物様の混合物とは、２成分の共沸混合物を形成し、場合により１つ以上の追加の成分を含んでいてもよく、ただし、それら追加の成分は混合物を非共沸混合物にはせず、またそれら追加の成分は配合物のいずれか一方または両者と共沸混合物を形成しない、という混合物である。
【００２７】
本明細書で用いる「有効な量」という用語は、各々の成分の量のことであって、他の成分と合体したときに本発明の共沸混合物の組成物または共沸混合物様の組成物を形成することになる量を指している。
【００２８】
本発明の幾つかの側面において、ＨＦＯ-１２３４ｚｅ（特にトランス-ＨＦＯ-１２３４ｚｅ）とＨＦＣ-２２７ｅａの有効な量は、共沸混合物または共沸混合物様の挙動を示すようなあらゆる量である。そのような量の非限定的な例は米国特許７８２５０８１号に示されていて、この特許の内容はその全体が本明細書に組み込まれる。すなわち、幾つかの好ましい態様において、このような共沸混合物の組成物または共沸混合物様の組成物は０重量％よりも多く約７５重量％までのＨＦＣ-２２７ｅａと約２５重量％から１００重量％未満までのトランス-ＨＦＯ-１２３４ｚｅを含むか、好ましくは実質的にこれらの成分から成り、より好ましくは０重量％よりも多く約６０重量％までのＨＦＣ-２２７ｅａと約４０重量％から１００重量％未満までのトランス-ＨＦＯ-１２３４ｚｅ、さらに好ましくは約１重量％から約４０重量％までのＨＦＣ-２２７ｅａと約６０重量％から約９９重量％までのトランス-ＨＦＯ-１２３４ｚｅを含むか、好ましくは実質的にこれらの成分から成る。幾つかの好ましい態様において、共沸混合物様の組成物は約５重量％から約３５重量％までのＨＦＣ-２２７ｅａと約６５重量％から約９５重量％までのトランス-ＨＦＯ-１２３４ｚｅを含むか、好ましくは実質的にこれらの成分から成る。このようなＨＦＯ-１２３４／ＨＦＣ-２２７ｅａ組成物は約１４ｐｓｉａにおいて約−１７℃から約−１９℃までの沸点を有する。好ましくは、本発明のＨＦＯ-１２３４／ＨＦＣ-２２７ｅａ組成物は約１４ｐｓｉａにおいて約−１８℃±２℃の沸点を有し、より好ましくは約１４ｐｓｉａにおいて約−１８℃±１℃の沸点を有する。
【００２９】
本発明のさらに好ましい形態において、ＨＦＯ-１２３４ｚｅとＨＦＣ-２２７ｅａの総重量に基づいて、ＨＦＯ-１２３４ｚｅ（幾つかの態様においては、トランス-ＨＦＯ-１２３４ｚｅ）は約８０重量％から約９５重量％までの量で、そしてＨＦＣ-２２７ｅａは約５重量％から約２０重量％までの量で用いることができる。さらなる形態において、ＨＦＯ-１２３４ｚｅとＨＦＣ-２２７ｅａの総重量に基づいて、ＨＦＯ-１２３４ｚｅ（幾つかの態様においては、トランス-ＨＦＯ-１２３４ｚｅ）は約８３重量％から約９２重量％までの量で、そしてＨＦＣ-２２７ｅａは約８重量％から約１７重量％までの量で用いることができる。さらなる態様において、ＨＦＯ-１２３４ｚｅとＨＦＣ-２２７ｅａの総重量に基づいて、ＨＦＯ-１２３４ｚｅ（幾つかの態様においては、トランス-ＨＦＯ-１２３４ｚｅ）は約８５重量％から約９０重量％までの量で、そしてＨＦＣ-２２７ｅａは約１０重量％から約１５重量％までの量で用いることができる。さらなる態様において、ＨＦＯ-１２３４ｚｅとＨＦＣ-２２７ｅａの総重量に基づいて、ＨＦＯ-１２３４ｚｅ（幾つかの態様においては、トランス-ＨＦＯ-１２３４ｚｅ）は約８８重量％から約９２重量％までの量で、そしてＨＦＣ-２２７ｅａは約８重量％から約１２重量％までの量で用いることができる。
【００３０】
ＨＦＣ-１３４ａが存在する態様において、ＨＦＯ-１２３４ｚｅ、ＨＦＣ-２２７ｅａおよびＨＦＣ-１３４ａの総重量に基づいて、ＨＦＯ-１２３４ｚｅ（幾つかの態様においては、トランス-ＨＦＯ-１２３４ｚｅ）は約６０重量％から約９５重量％までの量で用い、ＨＦＣ-２２７ｅａは約５重量％から約２０重量％までの量で用い、そしてＨＦＣ-１３４ａは０重量％よりも多く約２０重量％までの量で用いることができる。さらなる形態において、ＨＦＯ-１２３４ｚｅ、ＨＦＣ-２２７ｅａおよびＨＦＣ-１３４ａの総重量に基づいて、ＨＦＯ-１２３４ｚｅ（幾つかの態様においては、トランス-ＨＦＯ-１２３４ｚｅ）は約６８重量％から約９２重量％までの量で用い、ＨＦＣ-２２７ｅａは約８重量％から約１７重量％までの量で用い、そしてＨＦＣ-１３４ａは約０重量％よりも多く約１５重量％までの量で用いることができる。さらなる態様において、ＨＦＯ-１２３４ｚｅ、ＨＦＣ-２２７ｅａおよびＨＦＣ-１３４ａの総重量に基づいて、ＨＦＯ-１２３４ｚｅ（幾つかの態様においては、トランス-ＨＦＯ-１２３４ｚｅ）は約７５重量％から約９０重量％までの量で用い、ＨＦＣ-２２７ｅａは約１０重量％から約１５重量％までの量で用い、そしてＨＦＣ-１３４ａは約０重量％よりも多く約１０重量％までの量で用いることができる。さらなる態様において、ＨＦＯ-１２３４ｚｅ、ＨＦＣ-２２７ｅａおよびＨＦＣ-１３４ａの総重量に基づいて、ＨＦＯ-１２３４ｚｅ（幾つかの態様においては、トランス-ＨＦＯ-１２３４ｚｅ）は約８０重量％から約９０重量％までの量で用い、ＨＦＣ-２２７ｅａは約１０重量％から約１５重量％までの量で用い、そしてＨＦＣ-１３４ａは約０重量％よりも多く約５重量％までの量で用いることができる。
【００３１】
本発明の幾つかの側面において利益を得るためには、ＨＦＯ-１２３４ｚｅのいずれの異性体を用いてもよいと考えられるが、出願人は、幾つかの態様においてはＨＦＯ-１２３４ｚｅはトランス-ＨＦＯ-１２３４ｚｅを含み、好ましくはトランス-ＨＦＯ-１２３４ｚｅを過半の割合で含み、そして幾つかの態様においては実質的にトランス-ＨＦＯ-１２３４ｚｅから成るのが好ましいことを見出した。本明細書において用いるとき、共沸混合物または共沸混合物様の混合物の成分に関しての「トランス-ＨＦＯ-１２３４ｚｅ」という用語は、共沸混合物の組成物または共沸混合物様の組成物の中のＨＦＯ-１２３４ｚｅの全ての異性体に対するトランス-ＨＦＯ-１２３４ｚｅの量が少なくとも約９５％、より好ましくは少なくとも約９８％、さらに好ましくは少なくとも約９９％、さらにいっそう好ましくは少なくとも約９９．９％であることを意味する。幾つかの好ましい態様において、本発明の共沸混合物の組成物または共沸混合物様の組成物の中のトランス-ＨＦＯ-１２３４ｚｅ成分は、実質的に純粋なトランス-ＨＦＯ-１２３４ｚｅである。
【００３２】
本発明の共沸混合物の組成物または共沸混合物様の組成物は、有効な量のトランス-ＨＦＯ-１２３４ｚｅを１種以上の他の成分と（好ましくは流体の形で）合体させることによって製造することができる。組成物を形成するために２つ以上の成分を合体させるための当分野で知られた様々な方法のいずれをも、本発明の方法において用いるために適応することができる。例えば、ここで用いられるトランス-ＨＦＯ-１２３４ｚｅと何らかの追加の成分を混合し、配合し、あるいは手作業および／または機械によって合体させることができ、それをバッチ（回分）または連続の反応および／または加工の一部として、あるいは２つ以上のそのような工程の組み合わせによって行う。本明細書の開示を考慮すれば、当業者であれば、過度の実験を行うことなく本発明に係る共沸混合物の組成物または共沸混合物様の組成物を容易に調製することができるだろう。
【００３３】
上述した通り、本発明の組成物は、特に低いＧＷＰを含めた諸特性の困難な組み合わせを達成できることを、出願人は見出した。非限定的な例として、下の表Ａは、１４３０のＧＷＰを有するＨＦＣ-１３４ａのＧＷＰと比較しての本発明の幾つかの組成物のＧＷＰの実質的な改善を例証する。
【００３４】
【表１−１】
2016514187.tif 000003
【００３５】
本発明の組成物は、組成物の特定の機能性を向上させる目的で、あるいは組成物に特定の機能性を付与する目的で、またはある場合には組成物のコストを低下させるために、他の成分を含んでいてもよい。例えば、本組成物は共冷媒（co-refrigerants）、潤滑剤、安定剤、金属不動態化剤、腐食抑制剤、引火性抑制剤、およびその他の化合物および／または成分を含んでいてもよく、それら全ての化合物および成分の存在は本発明の広い範囲内のものである。
【００３６】
幾つかの好ましい態様において、本発明に係る冷媒組成物、特に蒸気圧縮システムにおいて用いられるものは、一般に組成物の約３０〜約５０重量パーセントの量で潤滑剤を含み、ある場合には約５０パーセントよりも多い量で潤滑剤を含む可能性があり、また別の場合には約５パーセント程度の少ない量で潤滑剤を含む。さらに、本組成物は、潤滑剤の混和性および／または溶解性を向上させる目的で混和剤（例えばプロパン）も含んでいてもよい。プロパン、ブタンおよびペンタンを含めたそのような混和剤は、好ましくは、組成物の約０．５〜約５重量パーセントの量で存在する。界面活性剤と可溶化剤も、油の溶解性を向上させるためにこれらを組み合わせて本組成物に添加してもよく、これについては米国特許６５１６８３７号に開示されている（この開示は参考文献として組み込まれる）。一般的に用いられる冷却潤滑剤、例えば、冷却機械においてヒドロフルオロカーボン（ＨＦＣ）冷媒と共に用いられるポリオールエステル（ＰＯＥ）やポリアルキレングリコール（ＰＡＧ）、ポリアルキレングリコールエステル（ＰＡＧエステル）、ＰＡＧ油、シリコーン油、鉱油、ポリアルキルベンゼン（ＰＡＢ）、ポリビニルエーテル（ＰＶＥ）、ポリ(アルファ-オレフィン)（ＰＡＯ）、およびこれらの組み合わせを、本発明の冷媒組成物と共に用いることができる。市販の鉱油としては、WitcoからのWitco LP 250（登録商標）、Shrieve ChemicalからのZerol 300（登録商標）、WitcoからのSunisco 3GS、およびCalumetからのCalumet R015がある。市販のアルキルベンゼン潤滑剤としてはZerol 150（登録商標）がある。市販のエステルとしてはネオペンチルグリコールジペラルゴネートがあり、これはEmery 2917（登録商標）およびHatcol 2370（登録商標）として入手できる。その他の有用なエステルとしてはリン酸エステル、二塩基酸エステル、およびフルオロエステルがある。ある場合には、炭化水素ベースの油はヨード炭素を含む冷媒との十分な溶解性を有し、ヨード炭素と炭化水素油の組み合わせは他のタイプの潤滑剤よりも安定しているかもしれない。従って、その組み合わせは有利であるかもしれない。好ましい潤滑剤にはポリアルキレングリコールとエステルが含まれる。幾つかの態様においてポリアルキレングリコールは極めて好ましく、というのは、それらは自動車の空調などの特定の用途において現に用いられているからである。当然ながら、別のタイプの潤滑剤による別の混合物を用いてもよい。
【００３７】
追加の成分を含んでもよく、そのような成分としては（これらに限定はされないが）分散剤、細胞安定剤、化粧品、艶出し剤、薬剤、洗浄剤、難燃剤、着色剤、化学滅菌剤、安定剤、ポリオール、ポリオールプレミックス成分、およびこれらの組み合わせがある。
【００３８】
幾つかの好ましい態様において、本組成物は、上述した化合物に加えて、共冷媒として以下のものの１種以上を含む：トリクロロフルオロメタン（ＣＦＣ-１１）、ジクロロジフルオロメタン（ＣＦＣ-１２）、ジフルオロメタン（ＨＦＣ-３２）、ペンタフルオロエタン（ＨＦＣ-１２５）、ジフルオロエタン（ＨＦＣ-１５２ａ）、１,１,１,３,３,３-ヘキサフルオロプロパン（ＨＦＣ-２３６ｆａ）、１,１,１,２,３,３-ヘキサフルオロプロパン（ＨＦＣ-２３６ｅａ）、１,１,１,３,３-ペンタフルオロプロパン（ＨＦＣ-２４５ｆａ）、１,１,１,３,３-ペンタフルオロブタン（ＨＦＣ-３６５ｍｆｃ）、２,３,３,３-テトラフルオロプロペン（ＨＦＯ-１２３４ｙｆ）、水、ＣＯ２ 。
【００３９】
幾つかの側面において、このような共冷媒は組成物の０重量パーセントよりも多くて約１０重量パーセントまでの量で用いることができ、さらなる態様においては組成物の約０重量パーセントよりも多くて約５重量パーセントまでの量で、さらなる態様においては組成物の約０重量パーセントよりも多くて約５重量パーセント未満までの量で、さらなる態様においては組成物の約０．５重量パーセントから約５重量パーセント未満までの量で用いることができる。幾つかの好ましい態様において、共冷媒はジフルオロエタン（ＨＦＣ-１５２ａ）、２,３,３,３-テトラフルオロプロペン（ＨＦＯ-１２３４ｙｆ）、１,１,１,２,３,３-ヘキサフルオロプロパン（ＨＦＣ-２３６ｅａ）、１,１,１,３,３-ペンタフルオロプロパン（ＨＦＣ-２４５ｆａ）、ＣＯ２、およびこれらの組み合わせから選択することができる。これらの共冷媒は上で示したような任意の量で用いることができるが、幾つかの態様においては、組成物の約０重量パーセントよりも多くて約５重量パーセントまでの量で、さらなる態様においては組成物の約０重量パーセントよりも多くて約５重量パーセント未満までの量で、さらなる態様においては組成物の約０．５重量パーセントから約５重量パーセント未満までの量で用いられる。このような共冷媒とその量は本発明について必ずしも限定的なものではなく、上述した例のいずれかに加えて、あるいは上述した例の代わりに、その他の共冷媒を用いてもよい。
【００４０】
熱伝達の方法およびシステム
好ましい熱伝達の方法は、概して、本発明の組成物を用意することと、顕熱の移動、相変化による熱移動、またはこれらの組み合わせのいずれかによって、その組成物へ熱を移動させるか、あるいはその組成物から熱を移動させることを含む。例えば、幾つかの好ましい態様において、本方法は、本発明の冷媒を含む冷却システムと、本発明の組成物を凝縮および／または蒸発させることによって加熱または冷却を生じさせる方法を提供する。幾つかの好ましい態様において、他の流体を直接的または間接的に冷却するか、あるいはある物体を直接的または間接的に冷却することを含めて、加熱および／または冷却を行うためのシステムおよび方法は、本発明の冷媒組成物を圧縮することと、次いで、冷却すべき物品の近傍においてその冷媒組成物を蒸発させることを含む。
【００４１】
従って、幾つかの好ましい態様において、この方法、システムおよび組成物は、一般に広範囲の熱伝達システムおよび冷却システム、特に空調、冷却、ヒートポンプのシステム、除湿器およびチラー（例えば、実施例３に示す遠心式圧縮機を用いるチラー）のようなシステムと関連して用いるように適応できる。実施例５で典型的に示すような、スクリュー式圧縮機を用いるチラーや容量型圧縮機を用いるチラーのような他のタイプのチラーも含まれる。幾つかの好ましい態様において、本発明の組成物はＨＦＣ冷媒（例えば、Ｒ-１３４ａ）と共に用いるように元来設計された冷却システムにおいて用いられる。本発明の好ましい組成物は、Ｒ-１３４ａの望ましい性質の多くを発揮するが、しかしＲ-１３４ａよりもかなり低いＧＷＰを有し、それと同時に、非引火性を保持し、そしてＲ-１３４ａと実質的に近似するか、あるいは実質的に匹敵し、また好ましくは同程度に高いか、またはもっと高い能力を有する、という特徴がある。特に、本組成物の幾つかの好ましい態様のものは比較的低い地球温暖化係数（「ＧＷＰ」）を示し、好ましくは約１０００未満、より好ましくは約７００以下、さらに好ましくは約６００以下のＧＷＰを示すという特徴があることを出願人は認めた。
【００４２】
別の幾つかの好ましい態様において、本組成物はＲ-１３４ａと共に用いるように元来設計された冷却システムにおいて用いられる。本発明の好ましい冷却組成物はＲ-１３４ａと共に従来用いられる潤滑剤を含む冷却システムにおいて用いることができ、あるいはＨＦＣ冷媒と共に慣用的に用いられる他の潤滑剤と共に用いることができる。本明細書において用いるとき、「冷却システム」という用語は、概して、冷却を与えるための冷媒を用いるあらゆるシステムまたは装置、あるいはそのようなシステムまたは装置のあらゆる部品または一部分を指す。そのような冷却システムとしては、例えば、小型の冷却システム（小型の商業用冷却システムを含む）、中温の冷却システム、定置型空調機、自動車用空調機、家庭用冷蔵庫または冷凍室、チラー、ヒートポンプ、自動販売機、スクリュー式水冷チラー、遠心式水冷チラー、容量型圧縮式チラー、ヒートポンプ給湯器、除湿器などがある。
【００４３】
上述したように、本発明は（低温と中温のシステムを含めて）小型の商業用冷却システムならびにチラーに関連して格別な利益を達成する。そのような小型の冷却システムの非限定的な例は、後述する実施例１および２（中温の用途）において提示されている。チラーに適用する例は、後述する実施例３において提示されている。これらの実施例では、そのような用途のために用いられる典型的な条件とパラメーターを用いる。しかしながら、これらの条件は本発明を限定するものとはみなされず、当業者であれば、（これらに限定はされないが）周囲の条件、予定される用途、年数などを含めた多様な一つ以上の因子に基づいて条件を変えられることを認識するであろう。それらの実施例はまた、「小型の商業用冷却システム」あるいは「チラー」という用語の定義には必ずしも限定されない。本明細書の中で提示される組成物は、類似するタイプのシステムにおいて用いることができ、あるいは幾つかの態様においては、冷媒としてＲ-１３４ａを用いるか、あるいはＲ-１３４ａを用いることができる全ての代替システムにおいて用いることができる。
【実施例】
【００４４】
以下の実施例は本発明を例証する目的で提示されるが、本発明の範囲を限定するものではない。
実施例１：定置型の冷却（商業用の冷却）における性能−中温の用途
幾つかの好ましい組成物の性能を、中温の冷却に典型的な条件において他の冷媒組成物に対して評価した。この用途は新鮮な食品の冷却を含む。組成物を評価した条件を表１に示す。
【００４５】
【表１−２】
2016514187.tif 000004
【００４６】
表２は、基準の冷媒であるＲ-１３４ａに対して、注目される組成物を比較したものである。
【００４７】
【表２】
2016514187.tif 000005
【００４８】
上の表２からわかるように、本発明の組成物は新たな中温冷却システムにおいてこれらの組成物を用いることを可能にするようなＲ-１３４ａについてのパラメーターに十分に近い重要な性能パラメーターの多くを同時に達成できることを、出願人は見出した。例えば、これらの組成物はこの冷却システムにおいてＲ-１３４ａの約３０％以内の能力、より好ましくはＲ-１３４ａの約２５％以内の能力を示す。これらのブレンドは全て、Ｒ-１３４ａに極めて近似していて非常に望ましい効率（ＣＯＰ）を示す。これらの組成物は約１℃未満の蒸発器勾配と約１０℃低い排出温度を示し、これらの両方とも中温冷却の用途のために極めて有用である。これらの組成物はＲ-１３４ａよりも約２０％低い吸込み圧力と排出圧力を示し、このことも非常に望ましい。特に、ＧＷＰの改善の点で、本発明の組成物は５０％よりも大きな減少を示し、このことは、それらの組成物を中温冷却の用途のための新たな設備において用いるための優秀な候補にする。
【００４９】
当業者であれば、好ましくは中温冷却のシステムを含めた新たな冷却システムあるいは新たに設計される冷却システムにおいて用いるための低いＧＷＰと小さな勾配を有する冷媒という、かなりの利益を本組成物がもたらすことができることを認識するであろう。
【００５０】
実施例２：定置型冷却（商業上の冷却）における性能−吸込みラインのある熱交換器を用いる中温の用途
幾つかの好ましい組成物の性能を、吸込みラインのある熱交換器を用いて中温冷却に典型的な条件において、他の冷媒組成物に対して評価した。この用途は新鮮な食品の冷却を含む。組成物を評価した条件を表３に示す。
【００５１】
【表３】
2016514187.tif 000006
【００５２】
表４は、基準の冷媒であるＲ-１３４ａに対して、注目される組成物を比較したものである。
【００５３】
【表４】
2016514187.tif 000007
【００５４】
実施例３：遠心式チラーと空調の用途における性能
代替の低地球温暖化性の冷媒に対する一段圧縮機の寸法評価を行うために、Biederman等（２００４年）が検討した比速度直径法を用いて、中圧冷媒についての分析を行った。同一の比速度（０．７６）と比直径（３．４）を用いると、圧縮機の速度Ｎと直径Ｄは次の式によって与えられる：
【００５５】
【数１】
2016514187.tif 000008
【００５６】
ここで、Ｈ＝等エントロピーでのエンタルピーの上昇、あるいは「ヘッド」（Ｊ/ｋｇ）、
Ｑ＝容積流量（ｍ３/秒）。
ＨＦＣ-１３４ａおよび表６に示すブレンドについて、サイクル解析と圧縮機の寸法評価を行った。蒸発温度と凝縮温度をそれぞれ５℃および３５℃と仮定して、５００トン（１７６０ｋＷ）の冷媒能力を選択した。サイクル解析により、式１ａと式１ｂを用いて、速度と圧縮機の羽根車の直径を決定するのに必要な等エントロピーでのエンタルピーの上昇の値および容積流量についての値を得た。
【００５７】
幾つかの好ましい組成物の性能を、水冷チラーに典型的な条件において、他の冷媒組成物に対して評価した。組成物を評価した条件を表５に示す。
【００５８】
【表５】
2016514187.tif 000009
【００５９】
表６は、基準の冷媒であるＲ-１３４ａに対して、注目される組成物を比較したものである。
【００６０】
【表６】
2016514187.tif 000010
【００６１】
実施例４：２成分のブレンド１２３４ｚｅ(Ｅ) /２２７ｅａの引火特性
図１は１２３４ｚｅ(Ｅ) との２成分ブレンドにおける２２７ｅａの含有量（縦軸）を空気中のブレンドの容積分率に対してプロットしたものを示す。曲線は引火性の境界を示す。曲線の境界の内側で混合物は引火性であり、曲線の境界の外側では混合物は非引火性である。青い線（太い線）は、空気中でのこの２成分ブレンドの化学量論組成を示している。
【００６２】
この図は、１０重量％以上のＨＦＣ-２２７ｅａがＨＦＯ-１２３４ｚｅ(Ｅ) の引火性を抑制することを示す。典型的な室内実験での誤差または変動は（安全のために肯定的にみて）＋５％と見積もられ、従って、最も好ましい範囲は１０％〜１５％である。これらの中程度に引火性の物質についての典型的な実験室間での変動により、その変動はさらに＋/−２％拡大し、従って、混合物の範囲は２２７ｅａについて８％〜１７％に増大し、これがさらに広い望ましい範囲となる。さらに、１２３４ｚｅ(Ｅ) の中程度の引火性およびその引火性についての公表されたデータの相違により、さらに広い許容できる範囲は２２７ｅａについて５％〜２０％である。
【００６３】
実施例５：容量型チラーにおける性能−空気調節への適用
幾つかの好ましい組成物の性能を、容量型圧縮機またはスクリュー式圧縮機の両方を用いることができるチラーに典型的な条件において、他の冷媒組成物に対して評価した。組成物を評価した条件を表７に示す。
【００６４】
【表７】
2016514187.tif 000011
【００６５】
表８は、基準の冷媒であるＲ-１３４ａに対して、注目される組成物を比較したものである。
【００６６】
【表８】
2016514187.tif 000012
【００６７】
上の表８からわかるように、本発明の組成物はチラーのシステムにおいてこれらの組成物を用いることを可能にするようなＲ-１３４ａについてのパラメーターに十分に近い重要な性能パラメーターの多くを同時に達成できることを、出願人は見出した。例えば、これらの組成物はこの冷却システムにおいて、Ｒ-１３４ａの約３０％以内の能力、より好ましくはＲ-１３４ａの約２５％以内の能力を示す。これらのブレンドは全て、Ｒ-１３４ａに極めて近似していて非常に望ましい効率（ＣＯＰ）を示す。これらの組成物は約１℃未満の蒸発器勾配と約１０℃低い排出温度を示し、これらの両方ともこれらの用途のために極めて有用である。これらの組成物はＲ-１３４ａよりも約２０％低い吸込み圧力と排出圧力を示し、このことも非常に望ましい。特に、ＧＷＰの改善の点で、本発明の組成物は５０％を超える減少を示し、このことは、それらの組成物を中温冷却の用途のための新たな設備において用いるための優秀な候補にする。
【００６８】
本組成物は、好ましくは遠心式チラーを含めた新たな冷却システムあるいは新たに設計される冷却システムにおいて用いるための低いＧＷＰと小さな勾配を有する冷媒によるかなりの利益を提供することができる、ということを当業者であれば認識するだろう。
【図１】
2016514187.tif 000013
【国際調査報告】
2016514187.tif 000014
2016514187.tif 000015
2016514187.tif 000016
2016514187.tif 000017